(57)【要約】【課題】  紙葉類の厚さ、又は重さによって紙葉類を区分し、この区分と搬送される紙葉類の前の搬送ギャップ及び後の搬送ギャップの測定値に基づいて当該紙葉類の搬送ギャップを補正する紙葉類の搬送ギャップ補正装置、及び紙葉類処理装置を提供する。【解決手段】  紙葉類厚検知ガイド４６が紙葉類Ｐに接触して紙葉類の厚さによって変化すると、紙葉類厚検知センサ４５によって検知され、厚さ情報“１”（２ｍｍ以下）、厚さ情報“２”（４ｍｍ以下）、厚さ情報“３”（６ｍｍ以下）に３区分される。また、紙葉類Ｐの前の搬送ギャップと後の搬送ギャップが搬送ギャップ測定センサ４７によって測定される。測定された前後の搬送ギャップ、及び上記厚さ情報に基づいてギャップ補正モータ４２の回転速度が設定され、紙葉類Ｐが加減速タイミングセンサに達するとギャップ補正モータが回転し、搬送ギャップが補正される。【選択図】  図３
2006198489.tif 000002
【特許請求の範囲】
【請求項１】
紙葉類を搬送する搬送手段と、
この搬送手段によって搬送される前記紙葉類の厚さを検知する厚さ検知手段と、
前記搬送手段によって搬送される前記紙葉類間のギャップを測定する搬送ギャップ測定センサと、
前記厚さ検知手段及び前記搬送ギャップ測定センサの下流に配置され、前記紙葉類の搬送速度を加減速する駆動手段と、
前記厚さ検知手段により検知された紙葉類の厚さと、前記搬送ギャップ測定センサにより測定された当該紙葉類の前ギャップ及び後ギャップとに基づいて前記駆動手段により前記紙葉類の搬送速度を加減速するための補正値を記憶する記憶手段と、
この記憶手段に記憶された補正値を用いて前記駆動手段の搬送速度を設定する設定手段と、
を備えたことを特徴とする紙葉類の搬送ギャップ補正装置。
【請求項２】
前記厚さ検知手段は、
検知された紙葉類の厚さより厚さの薄い方から厚さ情報１乃至厚さ情報３の３段階に区分する区分手段を備え、
前記設定手段は、
前記区分手段による３段階の区分に応じて３種類に分けられた前記補正値から当該紙葉類の前記厚さ情報に基づいて1種類選択する選択手段と、
この選択手段によって選択された種類の補正値の中から、前記前ギャップ及び前記後ギャップに基づいて補正値を選択する補正値選択手段と、
を備えていることを特徴とする請求項１記載の紙葉類の搬送ギャップ補正装置。
【請求項３】
紙葉類を搬送する搬送手段と、
この搬送手段によって搬送される前記紙葉類の重さを検知する重さ検知手段と、
前記搬送手段によって搬送される前記紙葉類間のギャップを測定する搬送ギャップ測定センサと、
前記重さ検知手段及び前記搬送ギャップ測定センサの下流に配置され、前記紙葉類の搬送速度を加減速する駆動手段と、
前記重さ検知手段により検知された紙葉類の重さと、前記搬送ギャップ測定センサにより測定された当該紙葉類の前ギャップ及び後ギャップとに基づいて前記駆動手段により前記紙葉類の搬送速度を加減速するための補正値を記憶する記憶手段と、
この記憶手段に記憶された補正値を用いて前記駆動手段の搬送速度を設定する設定手段と、
を備えたことを特徴とする紙葉類の搬送ギャップ補正装置。
【請求項４】
前記重さ検知手段は、
検知された紙葉類の重さより重さの軽い方から重さ情報１乃至重さ情報３の３段階に区分する区分手段を備え、
前記設定手段は、
前記区分手段による３段階の区分に応じて３種類に分けられた前記補正値から当該紙葉類の前記重さ情報に基づいて1種類選択する選択手段と、
この選択手段によって選択された種類の補正値の中から、前記前ギャップ及び前記後ギャップに基づいて補正値を選択する補正値選択手段と
を備えていることを特徴とする請求項３記載の紙葉類の搬送ギャップ補正装置。
【請求項５】
搬送される紙葉類の２地点での搬送ギャップを測定する搬送ギャップ測定センサに基づいて搬送ギャップを補正する搬送ギャップ補正装置を備えたことを特徴とする請求項１又は請求項３に記載の紙葉類の搬送ギャップ補正装置。
【発明の詳細な説明】
【技術分野】
【０００１】
本発明は、区分情報が付与された紙葉類を該区分情報に従い区分する紙葉類処理装置において、搬送される紙葉類の搬送ギャップを補正する紙葉類の搬送ギャップ補正装置、及びこの紙葉類の搬送ギャップ補正装置を搭載した紙葉類処理装置に関する。
【背景技術】
【０００２】
従来、紙葉類を区分する紙葉類処理装置では、厚い紙葉類や重い紙葉類は搬送ローラにぶつかり搬送速度遅れが顕著に現れる。この遅れは、搬送中でのショートギャップを引き起こし、集積時のゲート動作、ゲート突き刺さりによるジャムや安定集積ができなくなることによるさかのぼりジャムを引きおこしたていた。
【０００３】
そこで、搬送される紙葉類の搬送速度を一定にし、搬送ギャップが変動しない方法、及び変動した場合、2点間の搬送速度を測定して搬送速度を補正する方法が提案されている（例えば、特許文献１参照。）。また、紙葉類の厚さに対して搬送ばらつきを低減する方法も知られている（例えば、特許文献２参照）。
【特許文献１】特開２００１−２６１１９４号公報  （第１―３頁、図８）
【特許文献２】特開平１１−３１４８０３号公報  （第2頁、図２）
【発明の開示】
【発明が解決しようとする課題】
【０００４】
しかしながら、特許文献１記載の方法は、紙葉類の厚さ、又は重さによって紙葉類を区分し、この区分によって搬送速度を補正していないため、搬送路が長く、紙葉類が複数の搬送ローラと接触して搬送される間に次第に搬送ギャップが一定でなくなるという問題がある。
【０００５】
さらに、特許文献２記載の方法は、厚さ検知ローラによって搬送される紙葉類の厚さを検知し、このローラと連結したアームによって補正ローラ対のギャップを設定して紙葉類を搬送する方法であるため、紙葉類の重さによって紙葉類を区分し、この区分によって搬送速度を補正していないため搬送路が長く、紙葉類が複数の搬送ローラと接触して搬送される間に次第に搬送ギャップが一定でなくなるという問題がある。
【０００６】
本発明は、上記問題を解決するためになされたもので、紙葉類の厚さ、重さ、及び２地点（ポイント）間の搬送ギャップ差によって紙葉類を区分し、この区分と当該搬送される紙葉類の前に搬送された紙葉類とのギャップである前ギャップ、及び後に搬送された紙葉類とのギャップである後ギャップの測定値に基づいて搬送速度の加減速制御を行うことによって、紙葉類の搬送ギャップ補正を行う紙葉類の搬送ギャップ補正装置、及び紙葉類処理装置を提供する。
【課題を解決するための手段】
【０００７】
上記目的を達成するために、本発明の請求項１記載の紙葉類の搬送ギャップ補正装置は、紙葉類を搬送する搬送手段と、この搬送手段によって搬送される前記紙葉類の厚さを検知する厚さ検知手段と、前記搬送手段によって搬送される前記紙葉類間のギャップを測定する搬送ギャップ測定センサと、前記厚さ検知手段及び前記搬送ギャップ測定センサの下流に配置され、前記紙葉類の搬送速度を加減速する駆動手段と、前記厚さ検知手段により検知された紙葉類の厚さと、前記搬送ギャップ測定センサにより測定された当該紙葉類の前ギャップ及び後ギャップとに基づいて前記駆動手段により前記紙葉類の搬送速度を加減速するための補正値を記憶する記憶手段と、この記憶手段に記憶された補正値を用いて前記駆動手段の搬送速度を設定する設定手段と、を備えたことを特徴とする。
【０００８】
また、本発明の請求項３記載の紙葉類の搬送ギャップ補正装置は、紙葉類を搬送する搬送手段と、この搬送手段によって搬送される前記紙葉類の重さを検知する重さ検知手段と、前記搬送手段によって搬送される前記紙葉類間のギャップを測定する搬送ギャップ測定センサと、前記重さ検知手段及び前記搬送ギャップ測定センサの下流に配置され、前記紙葉類の搬送速度を加減速する駆動手段と、前記重さ検知手段により検知された紙葉類の重さと、前記搬送ギャップ測定センサにより測定された当該紙葉類の前ギャップ及び後ギャップとに基づいて前記駆動手段により前記紙葉類の搬送速度を加減速するための補正値を記憶する記憶手段と、この記憶手段に記憶された補正値を用いて前記駆動手段の搬送速度を設定する設定手段と、を備えたことを特徴とする。
【発明の効果】
【０００９】
本発明によれば、紙葉類の厚さ、重さ及び２地点間の搬送ギャップ差によって紙葉類を区分し、この区分と当該搬送される紙葉類の前ギャップ及び後ギャップの測定値に基づいて搬送速度の加減速制御を行うことによって、紙葉類の搬送ギャップ補正を行うことができる。
【発明を実施するための最良の形態】
【００１０】
以下、図面を参照して本発明の実施例を説明する。
【実施例１】
【００１１】
図１は、本発明の実施例による搬送ギャップ補正装置１１を搭載した紙葉類処理装置１００の外観図である。図１の（Ａ）は平面図で、図１の（Ｂ）は正面図である。紙葉類処理装置（以下、装置と称する）１００には、一括して供給された紙葉類を１枚ずつ取り出して搬送する搬送路（搬送手段）が備えられ、当該紙葉類に記載された配達区分情報を読取・認識する紙葉類供給・認識部１０が備えられている。さらに、この紙葉類供給・認識部１０で認識された配達区分情報に基づいて当該紙葉類を区分するスタッカ集積部１１０が備えられている。
【００１２】
なお、上記紙葉類供給・認識部１０で認識できなかった紙葉類の配達区分情報を示す画像情報がビデオコーディングシステム（Video Coding System）（以下、ＶＣＳと称する。）に送信され、当該画像情報に基づいて操作員によって配達区分情報が入力されると、オンライン処理中に上記ＩＪＰ（Ink Jet Printer）でバーコードが印字されて上記スタッカ集積部１１０に集積される。
【００１３】
紙葉類供給・認識部１０には、供給部１、取出部２、排除集積部３、プレバーコード読取部４、文字認識部５、遅延搬送路６、ＩＪＰ（Ink Jet Printer）印字部７、ベリファイバーコード読取部８、分岐部９、搬送ギャップ補正装置１１、及びオペレートパネル２０が備えられている。
【００１４】
装置１００では、供給部１に紙葉類をセットし、オペレートパネル２０のスタートスイッチ（図示しない）をオンすることによって装置を運転させると取出部２から紙葉類が取り出される。
【００１５】
機構検知部３ａは、取り出された紙葉類の中の異物混入紙葉類や定型外紙葉類などの紙葉類を検出して排除集積部３ｂへ排除する。排除されなかった供給可能な紙葉類は、プレバーコード読取部４、文字認識部５に搬送される。
【００１６】
プレバーコード読取部４、文字認識部５は、紙葉類に記載されたバーコード、郵便番号、住所などの配達区分情報を読み取り、かつ認識する。
【００１７】
遅延搬送路６は、文字認識部５で読み取れなかった紙葉類のＶＣＳ処理（紙葉類の画像をモニタに表示し、操作員が一定時間内に配達区分情報を打鍵する処理）の処理時間を稼ぐための搬送部である。
【００１８】
ＩＪＰ印字部７は、プレバーコード読取部４、文字認識部５又はＶＣＳ打鍵情報を元に設定された配達区分情報を特殊フォーマットのバーコードに変換する。また、その印字した内容をベリファイバーコード読取部８にて再チェックを行う。その後、制御部は、最終判定（最終行先スタッカの決定）を行い、この最終判定の結果に基づいて該当のスタッカへ集積させるために分岐部９のゲート（図示しない）を稼動し各段への振分を行う。振分られた紙葉類は、スタッカ集積部１１０へと搬送され、最終行先スタッカの決定に従って該当スタッカへ集積される。
【００１９】
搬送ギャップ補正装置１１は、紙葉類が搬送されているとき、何らかの理由により紙葉類間の搬送ギャップが詰まったり、開いたりするため、その搬送ギャップを設定状態に補正する。この搬送ギャップ補正装置は、本実施例では遅延搬送路６前とスタッカ集積部１１０に配置される。なお、この配置位置はこれに限ったものではなく、紙葉類処理装置の構成、規模によって変化するのは当然である。
【００２０】
図２は、装置１００を制御する制御部に関するブロック図である。制御部３０は、供給・取出部周辺をコントロールするための取出制御部３１、異物混入紙葉類を排除するための異物検出制御部３２、紙葉類の配達区分情報をやりとりするための読取部インターフェース制御部３３、その情報をＩＪＰでバーコード印字するための印字制御部３４、紙葉類を搬送させ決められたスタッカへ集積させる搬送・区分制御部３５、紙葉類の集積情報や装置の異常情報をオペレートパネルに表示するためのパネル制御部３６、及び搬送中の紙葉類間ギャップを一定に保つための搬送ギャップ補正制御部３７を制御する。
【００２１】
搬送ギャップ補正制御部（搬送ギャップ補正制御手段）３７は、図示しないＣＰＵ（中央処理装置）及びメモリ（記憶手段）３７ａを有し、搬送ギャップ補正モータ（駆動手段）４２を制御するモータ駆動回路（駆動手段）４０、可減速タイミングセンサ４１及び厚さ検知センサ４５からの検知出力を入力するスイッチ制御回路４３、及び重さ検知装置５０を制御するトルク制御回路４４を制御する。  
メモリ３７ａには、後述する補正値が記憶される。
【００２２】
図３は、厚さ検知手段を用いた搬送ギャップ補正装置１１の概略構成図である。従って、この搬送ギャップ補正装置１１には、搬送方向の上流側から厚さ検知センサ４５ａ、４５ｂ、紙葉類厚検知ガイド４６、紙葉類間の搬送ギャップを測定する搬送ギャップ測定センサ４７、搬送ギャップ補正モータ４２、及び搬送ギャップ補正モータ４２の動作タイミングをとるための加減速タイミングセンサ４１が備えられている。
【００２３】
厚さ検知センサ４５ａ、４５ｂは、近接して配置された投光器及び受光器で構成された光学式センサである。紙葉類厚検知ガイド４６が紙葉類に接触して、紙葉類の厚さによって変化するとき、この光学式センサは、紙葉類厚検知ガイ４６の他方の検知面を検知する。紙葉類の厚さは、厚さ検知センサ４５ａ、４５ｂの出力によって下式（１）〜（３）に示すように区分される（区分手段）。なお、“０”は暗状態でセンサが遮られている状態、“１”は紙葉類が紙葉類厚検知ガイド４６に接触してセンサが遮られていない明状態を示す。  
厚さ検知センサ４５ｂ  ４５ａ
０      ０      ：０ｍｍ＜紙葉類厚≦２ｍｍ・・・（１）
０      １      ：２ｍｍ＜紙葉類厚≦４ｍｍ・・・（２）
１      １      ：４ｍｍ＜紙葉類厚≦６ｍｍ・・・（３）
【００２４】
搬送ギャップ補正モータ４２は、搬送ギャップ測定センサ４７によって測定された搬送ギャップが設定値からずれているとき、このずれている量を補正する。
【００２５】
加減速タイモングセンサ４１は、搬送ギャップ補正モータ４２が動作するタイミングをとるもので、このタイミングによって、搬送ギャップ補正モータの回転速度が設定される。
【００２６】
図４は、紙葉類の厚さ情報に基づいて搬送ギャップ補正を行うためのシフト情報エリアに関するメモリ構成及びギャップテーブル図である。このギャップテーブルは、搬送ギャップを補正するための補正値のテーブルで、メモリ（記憶手段）３７ａに記憶されている。以下、この記憶手段に記憶された補正値を用いて搬送ギャップ補正モータ（駆動手段）４２の搬送速度を設定する設定手段の説明を行う。なお、搬送ギャップ補正モータ４２は、搬送ギャップ補正制御部３７のＣＰＵ（図示しない）によって補正値が設定される。
【００２７】
図４（１）は、搬送される紙葉類を区別するために、紙葉類毎に付与されるシフト情報エリアである。  
図４（１）の（Ａ）は、紙葉類のＩＤに相当するメールＮｏ（メールナンバー）である。  
図４（１）の（Ｂ）は、紙葉類の厚さ情報で、上記厚さ検知センサで検出した紙葉類の厚さに基づいて厚さ情報“１”、厚さ情報“２”、厚さ情報“３”が下式（４）〜（６）に示すように付与される。  
１：（０ｍｍ＜紙葉類厚≦２ｍｍ）・・・（４）
２：（２ｍｍ＜紙葉類厚≦４ｍｍ）・・・（５）
３：（４ｍｍ＜紙葉類厚≦６ｍｍ）・・・（６）
図４（１）の（Ｃ）は、前ギャップ情報で、搬送ギャップ測定センサ４７で測定した当該処理媒体の先に搬送された紙葉類との搬送ギャップデータである。  
図４（１）の（Ｄ）は、後ギャップ情報で、搬送ギャップ測定センサ４７で測定した当該処理媒体の後に搬送された紙葉類との搬送ギャップデータである。
【００２８】
図４（２）は、ギャップテーブルである。このギャップテーブルは、シフト情報エリアに設定された紙葉類の厚さ情報（上記、１、２、３）に基づき、１種類選択される（ギャップテーブル選択手段）。前ギャップ情報及び後ギャップ情報をインデックスとして補正値が選択される（補正値選択手段）。この補正値選択手段によって選択されたデータによってギャップ補正モータ４２の回転速度が設定される。
【００２９】
例えば、図４（２）の（Ａ）において、前ギャップと後ギャップの交点Ｐｃは後ギャップが大きく前ギャップが小さく、搬送が進んでいる場合に相当する。この場合は、当該紙葉類を進んでいるギャップに相当する分だけ搬送速度を減速する必要がある。従って、このＰｃは減速エリア（Ｃ）に相当する。同様に加速エリア（Ａ）、等速エリア（Ｂ）も設定される。
【００３０】
図４（２）の（Ａ）は、厚さ情報が“１”（０ｍｍ＜紙葉類厚≦２ｍｍ）の場合のギャップテーブルである。この場合は、厚さが薄い紙葉類であるから前ギャップと後ギャップで設定されるデータには紙葉類の厚さによるギャップ補正モータの回転速度補正は行わない。従って、平均ギャップテーブル（±０％）としてある。
【００３１】
図４（２）の（Ｂ）は、厚さ情報が“２”（２ｍｍ＜紙葉類厚≦４ｍｍ）の場合のギャップテーブルである。この場合は、厚さが厚い紙葉類であるから前ギャップと後ギャップで設定されるデータには紙葉類の厚さによるギャップ補正モータ４２の回転速度補正を１０％行う。従って、平均ギャップテーブル（±１０％）としてある。この場合、上述した交点Ｐｃは、等速エリア（Ｂ）に含まれる。このように、紙葉類は厚い場合には紙葉類が進んだ状態であっても、以降の搬送中に次第に遅れてくることを想定し等速エリア（Ｂ）とする。
【００３２】
図４（２）の（Ｃ）は、厚さ情報が“３”（４ｍｍ＜紙葉類厚≦６ｍｍ）の場合のギャップテーブルである。この場合は、厚さがさらに厚い紙葉類であるから前ギャップと後ギャップで設定されるデータには紙葉類の厚さによるギャップ補正モータ４２の回転速度補正を２０％行う。従って、平均ギャップテーブル（±２０％）としてある。この場合も、交点Ｐｃは、等速エリア（Ｂ）に含まれる。
【００３３】
図５は、紙葉類の厚さ情報に基づく搬送ギャップ補正処理に関するフローチャートである。まず始めに、紙葉類の厚さ情報をチェック（Ｓ１）する。
【００３４】
この厚さ情報チェックの結果、紙葉類の厚さが２ｍｍ以下の場合は（Ｓ２のｙ）、平均ギャップテーブル（±０％）情報から１つの加減速値をセットする（Ｓ４）。
【００３５】
上記、厚さ情報チェックの結果、紙葉類の厚さが２ｍｍを超え４ｍｍ以下の場合は（Ｓ３のｙ）、平均ギャップテーブル（±１０％）情報から１つの加減速値をセットする（Ｓ５）。
【００３６】
上記、厚さ情報チェックの結果、紙葉類の厚さが４ｍｍを越え６ｍｍ以下の場合は（Ｓ３ｎ）、平均ギャップテーブル（±２０％）情報から１つの加減速値をセットする（Ｓ６）。
【００３７】
平均ギャップテーブル（Ｓ４〜Ｓ６）で選択された１つの加減速値をもとに加減速処理が実行される（Ｓ７）。これにより、紙葉類の厚さによる搬送遅れ分を加えたギャップ補正動作が実現できる。
【００３８】
図６は、図５に示すフローチャートに基づいて紙葉類の厚さ情報に基づく搬送ギャップ補正処理を行った場合の一例である。図６（１）は、ギャップ補正前の初期状態を示しており、ここでは、搬送方向に対して１通目（Ｎｏ．１）と３通目（Ｎｏ．３）が２ｍｍ、２通目（Ｎｏ．２）が６ｍｍの紙葉類に対して、２通目がどのように加速処理されたかを図６（２）を参照して説明する。
【００３９】
図６（２）の（Ａ）はギャップ補正後の本実施例による加速動作後の紙葉類の状態で、図６（２）の（Ｂ）はギャップ補正後の従来方法による加速動作後の紙葉類の状態であり、わかりやすくするため対比して図示してある。
【００４０】
２通目の厚さは６ｍｍであるため、シフト情報エリアより、平均ギャップテーブル（±２０％）が選択される。このテーブルから、後ギャップ４０ｍｍ（ａ）、前ギャップ１６０ｍｍ（ｂ）の加減速値が引き出される。そして、（ａ）＜（ｂ）のため加速処理が選択されることになる。
【００４１】
従来のギャップ補正処理では、搬送ギャップ（ｅ）、（ｆ）が下式（７）になるように加減速処理が実行される。その結果、ギャップ補正後は、後ギャップ１００ｍｍ（ｅ）、前ギャップ１００ｍｍ（ｆ）となる。  
（ｅ）＝（ｆ）＝（（ａ）＋（ｂ））／２・・・（７）
（ａ）：ギャップ補正前の後ギャップ
（ｂ）：ギャップ補正前の前ギャップ
（ｅ）：ギャップ補正後の後ギャップ
（ｆ）：ギャップ補正後の前ギャップ
【００４２】
一方、本実施例によるギャップ補正処理では、平均ギャップテーブル（±２０％）が選択されたため搬送ギャップ（ｃ）が下式（８）になるように加減速処理が実行される。  
（ｃ）＝１．２×（（ａ）＋（ｂ））／２・・・（８）
（ａ）：ギャップ補正前の後ギャップ
（ｂ）：ギャップ補正前の前ギャップ
（ｃ）：ギャップ補正後の後ギャップ
【００４３】
本実施例では、厚さ情報を考慮して、後ギャップ（ｃ）が１．２×（（ａ）＋（ｂ））／２となり、後ギャップ１２０ｍｍ（ｃ）、前ギャップ８０ｍｍ（ｄ）と補正される。ギャップ補正直後は一定のギャップにはならないが、厚い紙葉類は搬送中に遅れる傾向にあるため、集積付近では一定のギャップになって安定した集積が可能となる。
【実施例２】
【００４４】
図７は、重さ検知手段を用いた搬送ギャップ補正装置１１の概略構成図である。従って、この搬送ギャップ補正装置１１には、搬送方向の上流から重さ検知装置５０、紙葉類間の搬送ギャップを測定する搬送ギャップ測定センサ４７、搬送ギャップ補正モータ４２、及び搬送ギャップ補正モータ４２の動作タイミングをとるための加減速タイミングセンサ４１が備えられている。
【００４５】
ここで、実施例１と同一部分は同一符号を付してその説明を省略し、重さ検知装置５０についてのみ説明する。
【００４６】
上記重さ検知部（重さ検知手段）５０は、搬送方向上流に駆動ローラ５１ａ及び搬送路５９を介して搬送ローラ５１ａの対向位置に配置されたピンチローラ５１ｂを有する。これら駆動ローラ５１ａ及びピンチローラ５１ｂによって紙葉類Ｐを取り込み、取り込んだ紙葉類Ｐの搬送速度を減速する。また、紙葉類Ｐの搬送位置を検知するためのセンサ５４が駆動ローラ５１ａの搬送方向下流に配置されている。
【００４７】
また、重さ検知部５０は、減速された紙葉類Ｐの搬送トルクを検知する駆動ローラ５２ａ、この駆動ローラ５２ａの搬送路５９を介して搬送ローラ４ａの対向位置に配置されたピンチローラ５２ｂ、上記駆動ローラ５２ａの回転速度を設定し、かつ、この駆動ローラ５２ａを駆動するサーボモータ５６、このサーボモータ５６の回転速度を計測するロータリ・エンコーダ５７、及びサーボモータ５６から出力されるトルクから重量を検知するトルク制御回路４４が配置されている。さらに、センサ５５が駆動ローラ５２ａの搬送方向下流に配置されている。
【００４８】
さらに、上記重さ検知部５０は、上記駆動ローラ５２ａ及びピンチローラ５２ｂによって減速された紙葉類Ｐの搬送速度を減速される前の搬送速度に戻すための駆動ローラ５３ａ及びこの駆動ローラ５３ａの搬送路５９を介して搬送ローラ５ａの対向位置に配置されたピンチローラ５３ｂを有する。
【００４９】
次に、図８を参照して重さ検知部５０の動作を説明する。図８（Ａ）及び図８（Ｂ）は紙葉類の重さ検知部５０の動作を説明する図である。
【００５０】
図８（Ａ）のタイミングｔ０は、紙葉類Ｐが駆動ローラ５１ａ及びピンチローラ５１ｂで狭持されて取り込まれ搬送速度Ｖ１（第１の搬送速度）で図示矢印Ａ方向に搬送され、その搬送される紙葉類の先端がセンサ５４に到達した瞬間を示す。
【００５１】
図８（Ａ）のタイミングｔ１は、紙葉類Ｐがセンサ５４に到達後、一定速度で搬送され紙葉類Ｐの先端が駆動ローラ５２ａ及びピンチローラ５２ｂのニップに到達した瞬間を示す。
【００５２】
図８（Ａ）のタイミングｔ２は、紙葉類Ｐの先端が駆動ローラ５２ａ、ピンチローラ５２ｂのニップに到達後、この駆動ローラ５２ａ及びピンチローラ５２ｂによって減速されセンサ５５に到達した瞬間を示す。タイミングｔ１からタイミングｔ２の間、搬送速度Ｖ１（第１の搬送速度）から段階的に減速されて搬送速度Ｖ２（第２の搬送速度）に達するまでトルク制御回路４４によって搬送速度が制御される。すなわち、制御回路４４はタイミングｔ１からｔ２に達するまでの間に搬送速度がＶ１から搬送速度Ｖ２にほぼ直線的に減速するようにサーボモータ１１の回転数を所定時間毎に複数回設定する。
【００５３】
次に、上記タイミングｔ１からｔ２に到達する間のトルクＴの動作を説明する。トルクＴは、搬送速度がＶ１から搬送速度Ｖ２に減速するときの運動エネルギーＥ１の変動量ｄＥから求められる。
【００５４】
すなわち、減速する紙葉類Ｐが駆動ローラ５１ａ及びピンチローラ５１ｂに狭持されて図示矢印Ａ方向に搬送されるときに紙葉類Ｐが受ける運動エネルギーＥ１は紙葉類Ｐの質量ｍを用いて搬送速度がＶ１のとき、数式（９）に示すようになる。  
Ｅ１＝（１／２）ｍＶ１２  （Ｊ）・・・・・・・（９）
また、搬送速度がＶ１（初速度）からＶ２に減速するから、この場合の運動エネルギーＥ１の変動量ｄＥは数式（１０）に示すようになる。  
ｄＥ＝（１／２）ｍ（Ｖ１−Ｖ２）２  （Ｊ）・・・（１０）
この数式（１０）で示す運動エネルギーの変動量ｄＥが駆動ローラ５２ａ及びピンチローラ５２ｂに加わり、運動エネルギーｄＥに比例したトルクＴが求められる。従ってこのときのトルクＴは、数式（１１）で示すことができる。  
Ｔ＝Ｋ１・ｄＥ  （Ｎ・ｍ）・・・・・・・・・・・（１１）
Ｔ＝Ｋ１・（１／２）ｍ（Ｖ１−Ｖ２）２  （Ｎ・ｍ）・（１２）
Ｋ１：運動エネルギーをトルクに変換するときの変換係数
【００５５】
次に、紙葉類の質量とトルクＴの関係を説明する。数式（１２）を、時間ｔを横軸にし、トルクＴを縦軸にしたグラフにすると図８（Ｂ）の（ａ）に示すようになる（但しＶ１＞Ｖ２）。また、数式（１２）から紙葉類Ｐの質量ｍは、数式（１３）を用いて示すことができる。  
ｍ＝Ｋ２・２Ｔ／（Ｖ１−Ｖ２）２  （Ｋｇ）・・・・（１３）
Ｋ２：トルクＴを質量に変換するときの変換係数
数式（１３）は、紙葉類Ｐの質量ｍが、例えば通常の質量の半分である（１／２）ｍの場合、トルクＴが（１／２）ｍになることを示している。従って、例えば図８（Ｂ）の（ａ）が質量ｍの場合のトルク特性曲線であるとすると、図８（Ｂ）の（ｂ）は質量（１／２）ｍの場合のトルク特性曲線になることを示す。このようにして、紙葉類Ｐの重量（質量）が測定される。
【００５６】
図９は、紙葉類の重さ情報に基づいて搬送ギャップ補正を行うためのシフト情報エリアに関するメモリ構成及びギャップテーブル図である。このギャップテーブルは、搬送ギャップを補正するための補正値のテーブルで、メモリ（記憶手段）３７ａに記憶されている。以下、この記憶手段に記憶された補正値を用いて搬送ギャップ補正モータ（駆動手段）４２の搬送速度を設定する設定手段の説明を行う。なお、搬送ギャップ補正モータ４２は、搬送ギャップ補正制御部３７のＣＰＵ（図示しない）によって補正値が設定される。
【００５７】
図９（１）は、搬送される紙葉類を区別するために、紙葉類毎に付与されるシフト情報エリアである。  
図９（１）の（Ａ）は紙葉類のＩＤに相当するメールＮｏである。  
図９（１）の（Ｂ）は、紙葉類の重さ情報で、重さ検知センサで検出した紙葉類の重さに基づいて紙葉類の重さ情報“１”、紙葉類の重さ情報“２”、紙葉類の重さ情報“３”が下式（４）〜（６）に示すように付与される。  
１：（０ｇ＜紙葉類重さ≦Ｏｇ）・・・（１４）
２：（Ｏｇ＜紙葉類重さ≦Ｐｇ）・・・（１５）
３：（Ｐｇ＜紙葉類重さ≦Ｑｇ）・・・（１６）
図９（１）の（Ｃ）は、前ギャップ情報で、搬送ギャップ測定センサ４７で測定した当該紙葉類の先に搬送された紙葉類との搬送ギャップデータである。  
図９（１）の（Ｄ）は、後ギャップ情報で、搬送ギャップ測定センサ４７で測定した当該紙葉類の後に搬送された紙葉類との搬送ギャップデータである。
【００５８】
図９（２）は、ギャップテーブルである。このギャップテーブルは、シフト情報エリアに設定された紙葉類の重さ情報（上記、“１”、“２”、“３”）に基づき、前ギャップ情報及び後ギャップ情報によって設定されるデータによってギャップ補正モータ４２の回転速度を設定するために使用される。以下、図４で説明した実施例１において、「紙葉類の厚さ」を「紙葉類の重さ」に言い換えることによって説明できる。すなわち、紙葉類の厚さが薄い場合は紙葉類の重さが軽い場合に相当し、以下同様に紙葉類の厚さが厚い場合は、紙葉類の重さが重い場合に相当する。
【００５９】
図１０は、紙葉類の重さ情報に基づく搬送ギャップ補正処理に関するフローチャートである。まず始めに、紙葉類の重さ情報をチェック（Ｓ１０）する。
【００６０】
この重さ情報チェックの結果、紙葉類の重さがＯｇ以下の場合（重さ情報１）は（Ｓ１１のｙ）、平均ギャップテーブル（±０％）情報から１つの加減速値をセットする（Ｓ１３）。
【００６１】
上記、重さ情報チェックの結果、紙葉類の重さがＯｇを超えＰｇ以下の場合（重さ情報２）は（Ｓ１２のｙ）、平均ギャップテーブル（±１０％）情報から１つの加減速値をセットする（Ｓ１４）。
【００６２】
上記、重さ情報チェックの結果、紙葉類の重さがＰｇを超えＱｇ以下の場合（重さ情報３）は（Ｓ１２のｎ）、平均ギャップテーブル（±２０％）情報から１つの加減速値をセットする（Ｓ１５）。
【００６３】
平均ギャップテーブル（Ｓ１３〜Ｓ１５）で選択された１つの加減速値をもとに加減速処理が実行される（Ｓ１６）。これにより、紙葉類の重さによる搬送遅れ分を加えたギャップ補正動作が実現できる。
【実施例３】
【００６４】
図１１は、紙葉類の２地点での搬送ギャップ情報に基づいて搬送ギャップ補正を行うためのシフト情報エリアに関するメモリ構成及びギャップテーブル図である。このテーブルは、２地点での前ギャップ情報及び後ギャップ情報からなるシフト情報を示している。すなわち、実施例１及び実施例２では、紙葉類の厚さ、重さなどの紙葉類属性に基づいて搬送ギャップ補正を行う装置の説明を行ったが、さらに、紙葉類の材質等によりギャップが一定でなくなる場合があり、それを補正するために本実施例が適用される。
【００６５】
図１１（１）は、搬送される紙葉類を区別するために、紙葉類毎に付与されるシフト情報エリアである。
【００６６】
図１１（１）の（Ａ）は紙葉類のＩＤに相当するメールＮｏ（メールナンバー）である。  
図１１（１）の（Ｂ）は遅延搬送部入口で測定した紙葉類の前ギャップ情報である。  
図１１（１）の（Ｃ）は遅延搬送部入口で測定した紙葉類の後ギャップ情報である。  
図１１（１）の（Ｄ）はギャップ補正装置前で測定した紙葉類の前ギャップ情報である。  
図１１（１）の（Ｅ）はギャップ補正装置前で測定した紙葉類の後ギャップ情報である。
【００６７】
図１１（２）は、ギャップテーブルである。このギャップテーブルは、シフト情報エリアに設定された紙葉類の２地点での前ギャップ情報及び後ギャップ情報によって設定されるデータによってギャップ補正モータ４２の回転速度を設定するために使用される。
【００６８】
図１１（２）の（Ａ）は、「遅延搬送部入口で測定した紙葉類の前後ギャップ」と「ギャップ補正装置前で測定した紙葉類の前後ギャップ」が一致したときのテーブルである。ここでは、紙葉類の種類（材質／厚さ／サイズなど）が違っていても、対ベルトから見た紙葉類のグリップ力は一緒で搬送途中の紙葉類の遅れが発生しにくいと判断し、前後のギャップが同じになるように加減速均一のテーブルを組んでいる。
【００６９】
図１１（２）の（Ｂ）は、ギャップ補正装置前で測定した紙葉類の前後ギャップとギャップ補正装置前で測定した紙葉類の前後ギャップが一致しないときのテーブルである。ここでは、紙葉類の種類（材質／厚さ／サイズなど）が似たような紙葉類であっても、対ベルトから見た紙葉類のグリップ力は異なり搬送途中の紙葉類の遅れが発生しやすい判断し、前後のギャップがギャップ遅れ分加算されたような加減速テーブルを組んでいる。このテーブルは２点間のギャップの差によって変化してくるものである。
【００７０】
図１２は、紙葉類の２地点での搬送ギャップに基づくギャップ補正処理に関するフローチャートである。まず始めに、遅延搬送部入口付近のセンサにて紙葉類の前後のギャップを測定する（Ｓ２０）。
【００７１】
次に、その紙葉類がギャップ補正装置付近に到着した際に再度紙葉類の前後のギャップを測定する（Ｓ２１）。
【００７２】
次に、上記２箇所で測定した前後ギャップを比較し（Ｓ２２）、同じであれば平均ギャップテーブル情報（通常補正）から１つの加減速値をセットする（Ｓ２３）。違っていれば、そのギャップ差分を加味して平均ギャップテーブル情報（過大補正）から１つの加減速値をセット（Ｓ２４）する。
【００７３】
平均ギャップテーブル（Ｓ２３、Ｓ２４）で選択された１つの加減速値をもとに加減速処理（Ｓ２５）が実行される。これにより、紙葉類の種類（材質／厚さ／サイズなど）による搬送遅れ分を加えたギャップ補正動作が実現できる。
【００７４】
図１３は、図１０に示すフローチャートに基づいてギャップ補正を行った場合の一例である。図１３（１）は、遅延搬送部６の入口付近で測定した搬送ギャップの初期状態を示しており、ここでは、搬送方向に対して１通目（Ｎｏ．１）と３通目（Ｎｏ．３）がグリップ力が普通の２ｍｍ紙葉類、２通目（Ｎｏ．２）がグリップ力が弱い２ｍｍ紙葉類に対して、２通目がどのように加速処理されたかを図１３（２）〜図１３（４）を参照して説明する。
【００７５】
図１３（２）は、搬送ギャップ補正装置１１前で測定したギャップ補正前の上記２通目の紙葉類が搬送中に遅れた場合を示す。この場合は、シフト情報エリアより、遅延搬送部６入口で測定した後ギャップが１００ｍｍ（ａ）、前ギャップが１００ｍｍ（ｂ）であり、ギャップ補正装置前で測定した後ギャップが５０ｍｍ（ｃ）、前ギャップが１５０ｍｍ（ｄ）であり、（ａ）＞（ｃ）かつ（ｂ）＜（ｄ）のため、２通目が搬送中に遅れやすい紙葉類であることがわかる。
【００７６】
図１３（３）は、ギャップ補正後の従来方法による加速動作後の紙葉類の状態で、図１３（４）は、ギャップ補正後の本実施例による加速動作後の紙葉類の状態であり、わかりやすくするため対比して図示してある。
【００７７】
従来のギャップ補正処理では、平均的なギャップになるように処理するため、ギャップ補正装置後で後ギャップが１００ｍｍ（ｅ）、前ギャップが１００ｍｍ（ｆ）になるように処理していたが、この方法では、上記ギャップ差ができることから当該紙葉類に搬送遅れが発生しやすいことが推測できるため、本実施例では、その分を加えてギャップ補正を実施する。（ｃ）より５０ｍｍ分は遅れやすいので、加速時に＋５０ｍｍだけ加速量を増加すれば、以降の集積までの長い搬送路で搬送遅れが発生しても、集積不安定になるほどは遅れず、ジャムや誤区分を引き起こすことはなくなる。
【００７８】
（変形例）
実施例１で説明した搬送ギャップ補正装置（第１の搬送ギャップ補正装置）１１、実施例２で説明した搬送ギャップ補正装置（第２の搬送ギャップ補正装置）１１、及び実施例３で説明した搬送ギャップ補正装置（第３の搬送ギャップ補正装置）１１は、それぞれ独立して紙葉類処理装置１００に搭載して搬送ギャップの補正を行うことができる。しかしながら、本実施例のように紙葉類処理装置１００が大型で搬送路が長い場合などは、これらの搬送ギャップ補正装置を組み合わせて用いることによって、より好適な搬送ギャップ補正にすることができる。例えば、図１の紙葉類・認識部１０には厚さ検知手段の検知結果に基づく第１の搬送ギャップ補正装置１１を配置し、図１のスタッカ集積部１１０には紙葉類の２地点での搬送ギャップ情報に基づく第３の搬送ギャップ補正装置１１を配置する。この場合、第１の搬送ギャップ補正装置によって紙葉類あの厚さによる搬送ギャップが補正されるだけでなく、搬送下流に配置された第３の搬送ギャップ補正装置によって、搬送路が長い場合に自然と発生する緩やかな搬送ギャップのずれを補正することができる。
【００７９】
なお、上記実施例では、搬送ギャップを補正する方法として説明したが、これに限定されることなく、搬送ギャップを測定するかわりに同一センサによって搬送ピッチを測定することによって搬送ピッチを補正してもよい。
【図面の簡単な説明】
【００８０】
【図１】本発明の実施例による搬送ギャップ補正装置を搭載した紙葉類処理装置１００の外観図。
【図２】紙葉類処理装置を制御する制御部に関するブロック図。
【図３】厚さ検知手段を用いた搬送ギャップ補正装置の概略構成図。
【図４】紙葉類の厚さ情報に基づいて搬送ギャップ補正を行うためのシフト情報エリアに関するメモリ構成及びギャップテーブル図。
【図５】紙葉類の厚さ情報に基づく搬送ギャップ補正処理に関するフローチャート。
【図６】紙葉類の厚さ情報に基づく搬送ギャップ補正処理を行った場合の一例。
【図７】重さ検知手段を用いた搬送ギャップ補正装置の概略構成図。
【図８】紙葉類の重さ検知部の動作を説明する図である
【図９】紙葉類の重さ情報に基づいて搬送ギャップ補正を行うためのシフト情報エリアに関するメモリ構成及びギャップテーブル図。
【図１０】紙葉類の重さ情報に基づく搬送ギャップ補正処理に関するフローチャート。
【図１１】紙葉類の２地点での搬送ギャップ情報に基づいて搬送ギャップ補正を行うためのシフト情報エリアに関するメモリ構成及びギャップテーブル図。
【図１２】紙葉類の２地点での搬送ギャップに基づくギャップ補正処理に関するフローチャート。
【図１３】紙葉類の２地点での搬送ギャップに基づく搬送ギャップ補正処理を行った場合の一例。
【符号の説明】
【００８１】
Ｐ  紙葉類
１  供給部
２  取出部
３  排除集積部
４  プレバーコード読取部
５  文字認識部
６  遅延搬送部
７  印字部
８  ベリファイバーコード読取部
９  分岐部
１１  搬送ギャップ補正装置
２０  オペレートパネル
３０  制御部
３７  搬送ギャップ補正制御部
４０  モータ駆動回路
４１  加減速タイミングセンサ
４２  搬送ギャップ補正モータ
４３  スイッチ制御回路
４４  トルク制御回路
４５ａ、４５ｂ  厚さ検知センサ
４６  紙葉類厚検知ガイド
４７  搬送ギャップ測定センサ
５０  重さ検知部
５１ａ、５２ａ、５３ａ  駆動ローラ
５１ｂ、５２ｂ、５３ｂ  ピンチローラ
５４、５５  センサ
５６  サーボモータ
５７  ロータリ・エンコーダ
１１０  スタッカ集積部
【図１】
2006198489.tif 000003
【図２】
2006198489.tif 000004
【図３】
2006198489.tif 000005
【図４】
2006198489.tif 000006
【図５】
2006198489.tif 000007
【図６】
2006198489.tif 000008
【図７】
2006198489.tif 000009
【図８】
2006198489.tif 000010
【図９】
2006198489.tif 000011
【図１０】
2006198489.tif 000012
【図１１】
2006198489.tif 000013
【図１２】
2006198489.tif 000014
【図１３】
2006198489.tif 000015